(57)【要約】      （修正有）【課題】口腔内に必要にして十分な光を照射した状態で口腔内の検診や治療を行うことができると共に、殺菌消毒処理を容易に行うことができ、歯科医院や集団検診場等において繰り返し使用することが可能な口腔内観察器具を提供する。【解決手段】先端部にミラー２０が取り付けられた本体部３０と、本体部を保持する手の人差し指Ｆによって保持されるＬＥＤライト４０と、を具備し、本体部には、長手方向における中途位置に、ＬＥＤライトから照射された光を内部空間３１に取り込む光取込部３２が設けられ、光取込部から取り込んだ光を伝達する光伝達経路（内部空間）と、光伝達経路により伝達された光を本体部の先端部近傍において外部に照射する光照射部３８が設けられている。【選択図】図３
0003199771.tif 000002
【実用新案登録請求の範囲】
【請求項１】
先端部にミラーが取り付けられた本体部と、前記本体部を保持する手によって保持される光源と、を具備し、
前記本体部には、
長手方向における中途位置に設けられ、前記光源から照射された光を内部空間に取り込む光取込部と、
前記光取込部から取り込んだ光を伝達する光伝達経路と、
前記光伝達経路により伝達された光を前記先端部から前記本体部の外部に照射する光照射部と、
が設けられていることを特徴とする口腔内観察器具。
【請求項２】
前記光源は、グリップ部またはリング部に形成された保持部を有していることを特徴とする請求項１記載の口腔内観察器具。
【請求項３】
前記光源の発光部と前記光取込部とは嵌合可能な形状に形成されていることを特徴とする請求項１または２記載の口腔内観察器具。
【請求項４】
前記光伝達経路は光ファイバーであって、一方の端面を前記光取込部から前記本体部の外側に向けた状態で配設されていることを特徴とする請求項１〜３のうちのいずれか一項に記載の口腔内観察器具。
【請求項５】
前記光照射部は前記ミラーの反射面から離反する方向に光を誘導するように形成されていることを特徴とする請求項１〜４のうちのいずれか一項に記載の口腔内観察器具。
【考案の詳細な説明】
【技術分野】
【０００１】
本考案は口腔内観察器具に関し、より詳細には、口腔内に光を照射した状態で口腔内の検診や治療を行うことが可能であると共に、きわめて容易に殺菌処理をすることができ、繰り返し使用することを可能にした口腔内観察器具に関する。
【背景技術】
【０００２】
口腔内の検診（観察）を行うための器具としてデンタルミラーが広く知られている。デンタルミラーを用いて口腔内を検診するにあたっては、口腔内に光を照射する必要がある。しかしながら、乳幼児の口腔内を検診するため外部から口腔内に光を照射しようとすると、照射された光が乳幼児の視界に入り込むことがあり、乳幼児が恐怖を感じて口を閉じてしまったり暴れたりして口腔内の検診を行うことができない場合がある。また、外部から検診対象者の口腔内に光を照射するにあたっては、歯科医の顔の位置に隣接して光源を設置しなければならない。光源からは相当量の熱量が放出されるため、歯科医に与える肉体的負担が大きくなるという課題もある。
【０００３】
以上のような課題に対して、口腔内に光を照射するための小型局部用照明器が特許文献１等において提案されている。
【先行技術文献】
【特許文献】
【０００４】
【特許文献１】特許第４８７２１６７号公報
【考案の概要】
【考案が解決しようとする課題】
【０００５】
特許文献１に開示されている小型局部用照明器は、光源と電源とを内蔵したコンパクトな構成であり、従来の課題を解決することができる照明器として提案されている。しかしながら、口腔内に光を照らすために小型局部用照明器を使用している間は、デンタルミラーまたは歯の治療器具のうちのいずれか一方を用いることしかできなくなるため、歯科医単独では、口腔内に十分な光を照射した状態で歯の状態を確認しながら治療することができないという課題がある。また、電源装置を内蔵しているため、繰り返し使用をする際における殺菌消毒処理が困難または煩雑になり、最も利用価値のある集団検診の場においてのしようが困難になることがあるといった課題も有している。
【０００６】
そこで本考案は、必要にして十分な光を照射した状態で口腔内の検診や治療を行うことが可能であると共に、従来のデンタルミラーに対する殺菌消毒処理のように手軽な殺菌消毒処理を適用することができ、繰り返し使用を容易にした口腔内観察器具の提供を目的としている。
【課題を解決するための手段】
【０００７】
上記課題を解決するために本考案者は鋭意研究を行った結果、以下の構成に想到した。すなわち、先端部にミラーが取り付けられた本体部と、前記本体部を保持する手によって保持される光源と、を具備し、前記本体部には、長手方向における中途位置に設けられ、前記光源から照射された光を内部空間に取り込む光取込部と、前記光取込部から取り込んだ光を伝達する光伝達経路と、前記光伝達経路により伝達された光を前記先端部から前記本体部の外部に照射する光照射部と、が設けられていることを特徴とする口腔内観察器具である。
【０００８】
これにより、歯科医は口腔内に光を照射させた状態で口腔内の検診や治療を行うことができる。また、歯科医は一方の手で口腔内観察器具を持ち、他方の手で治療用器具を持つことができるので、歯科医単独で行うことができる処置の範囲を広げることができる。さらには、光源と本体部とを別体にしているので、口腔内に進入する本体部のみを従来技術におけるデンタルミラーと同様に薬液を用いて殺菌消毒処理をすればよく、口腔内観察器具を繰り返し使用する際における取り扱いが容易である。
【０００９】
また、前記光源は、グリップ部またはリング部に形成された保持部を有していることが好ましい。
【００１０】
これにより、別体の本体部と光源とを片手で容易にしかも確実に保持することができ、使い勝手に優れた口腔内観察器具にすることができる。
【００１１】
また、前記光源の発光部と前記光取込部とは嵌合可能な形状に形成されていることが好ましい。
【００１２】
これにより、光源と本体部とを安定した状態で保持することができることに加え、光源からの光を効率的に光伝達経路に照射することができるため、使い勝手が良好であって、視認性に優れた口腔内観察器具を提供することができる。
【００１３】
また、前記光伝達経路は光ファイバーであって、一方の端面を前記光取込部から前記本体部の外側に向けた状態で配設されていることが好ましい。
【００１４】
これにより、光取込部に照射された光を効率的に光伝達用経路に取り込ませることができ、光取込部から取り込んだ光のほぼすべてを光照射部から照射させることができる。
【００１５】
また、前記光照射部は前記ミラーの反射面から離反する方向に光を誘導するように形成されていることが好ましい。
【００１６】
これにより、口腔内の観察対象箇所に向けて光を照射させることができるため、口腔内の視認性を一層高めることができる。
【考案の効果】
【００１７】
本考案にかかる構成を採用することにより、歯科医は口腔内に光を照射させた状態で口腔内の検診や治療を行うことができる。また、歯科医は一方の手で口腔内観察器具を持ち、他方の手で治療用器具を持つことができるので、歯科医単独で行うことができる処置の範囲を広げることができる。さらには、光源と本体部とを別体にしているので、口腔内に進入する本体部のみを従来技術におけるデンタルミラーと同様に薬液を用いて殺菌消毒処理をすればよく、口腔内観察器具を繰り返し使用する際における取り扱いが容易である。このような構成は通常の歯科医院における検診や治療においてはもちろんのこと、十分な医療器具が備わっていない集団検診の場においても大量の口腔内観察器具を手配する必要がなく好適である。
【図面の簡単な説明】
【００１８】
【図１】第１実施形態に係る口腔内観察器具の概略構成図である。
【図２】第１実施形態に係る口腔内観察器具の使用状況説明図である。
【図３】図２における口腔内観察器具の長手方向における断面図である。
【図４】第１実施形態に係る口腔内観察器具に用いられているＬＥＤライトの斜視図である。
【図５】第２実施形態に係る口腔内観察器具の図３に対応する断面図である。
【図６】他の実施形態に係る口腔内観察器具の一例を示す断面図である。
【考案を実施するための形態】
【００１９】
（第１実施形態）
本実施形態に係る口腔内観察器具１０は、図１〜図３に示すように、先端部にミラー２０が取り付けられた本体部３０と、保持部４２を有する光源としてのＬＥＤライト４０と、を具備している。口腔内観察器具１０は、少なくとも本体部３０とＬＥＤライト４０とが分離可能な構成になっている。
【００２０】
ミラー２０は、反射面部２２の側面から延伸させたロッド状部分が本体部３０の先端部３６となるように本体部３０に設けられている。ここでは、ミラー２０のロッド状部分と本体部３０の先端部３６とを接着等の公知の手段を用いて一体となるように形成している。本実施形態においてはミラー２０と本体部３０とを一体に形成した形態を示しているが、ミラー２０のロッド状部分と本体部３０の先端部３６とを螺着等により連結させることにより、互いを着脱可能にした構成を採用することもできる。
【００２１】
本体部３０は図３に示すように、中空構造のスティック形状に形成されている。本体部３０の長手方向における中途位置には、後述するＬＥＤライト４０から照射された光を取り込むための光取込部３２が配設されている。光取込部３２は開口孔に形成されていて、ＬＥＤライト４０から照射された光を本体部３０の内部空間３１に取り込むことができる。内部空間３１に取り込まれた光は本体部３０の先端部（ミラー２０が取り付けられている側の端部）において開口孔に形成された光照射部３８から本体部３０の外部に向けて照射されることになる。このように本実施形態においては、本体部３０の内部空間３１が光取込部３２から取り込んだ光を光照射部３８に伝達させるための光伝達経路として機能することになる。
【００２２】
以上に説明したように、本実施形態に係る口腔内観察器具１０の本体部３０は電源装置や電気配線が収容されていないので、本体部３０を一般的なデンタルミラーと同様に薬液に浸漬させることでの殺菌消毒処理が可能である。このように手軽な殺菌消毒処理を行うことができるため、繰り返し使用を容易に行うことができる。
【００２３】
図４は、本実施形態に係る口腔内観察器具に用いられているＬＥＤライトの斜視図である。図４に示すようにＬＥＤライト４０には本体部３０を保持する手の人差し指Ｆにより保持することが可能な保持部４２が形成されている。ここでは保持部４２として人差し指Ｆに装着するリング部を採用した。保持部４２としてはリング部の他に本体部３０を保持する手に握りこませることが可能なグリップ部に形成することもできる。ＬＥＤライト４０の電源としては内蔵型バッテリ（図示せず）が好適である。光源としては図４に示すようなＬＥＤライト４０の他に、小型の懐中電灯型のライトを用いることもできる。本体部３０と共に片手で保持することができれば光源の具体的形状は限定されるものではない。
【００２４】
また、ＬＥＤライト４０の発光部４４は、本体部３０の光取込部３２と嵌合する形状に形成されている（図３参照）。ここでは、開口孔に形成された光取込部３２から本体部３０の内部空間３１にＬＥＤライト４０の発光部４４がすっぽりと入りこませた状態にすることができる。このような光取込部３２とＬＥＤライト４０を用いることで、人差し指Ｆに装着されたＬＥＤライト４０が邪魔になることなく本体部３０を保持することができる。さらにはＬＥＤライト４０の光を本体部３０の外に漏らすことなく内部空間３１（光伝達経路）に照射して、光を光照射部３８に伝達させることができる。これにより、ＬＥＤライト４０およびＬＥＤライト４０の電源装置のさらなる小型軽量化が可能になる点において好都合である。
【００２５】
また、ＬＥＤライト４０には、保持部４２を保持している人差し指Ｆの腹の位置に押下スイッチ４６を配設することもできる。このようにＬＥＤライト４０に押下スイッチ４６を配設することにより、歯科医が口腔内に光を照射したいときのみにＬＥＤライト４０を装着している人差し指Ｆで押下スイッチ４６を押下操作することでＬＥＤライト４０の発光状態の切替操作が可能になる。これによりＬＥＤライト４０の電源装置のさらなる小型化が可能になると共に、口腔内観察器具１０としての使い勝手も大幅に向上する点で好都合である。
【００２６】
（第２実施形態）
図５は第２実施形態に係る口腔内観察器具１０の長手方向における断面図である。断面位置は、第１実施形態で用いた図３の断面位置と同一位置である。本実施形態においては、第１実施形態と同一の構成については第１実施形態で用いた符号を用いることによりここでの詳細な説明を省略している。
【００２７】
本実施形態における本体部３０は、光伝達経路として光ファイバー３４を採用している。光ファイバー３４は一方の端面３４Ａを光取込部３２から本体部３０の外側に向けた状態にすると共に、他方の端面３４Ｂを光照射部３８から本体部３０の外側に向けた状態にして本体部３０の内部空間３１内に収容されている。本実施形態における光取込部３２と光照射部３８には光ファイバー３４を位置決めした状態で保持するための透明材料からなる充てん材３９が充てんされ（本体部３０の開口孔部分が被覆され）ている。少なくとも光取込部３２における充てん材３９は、本体部３０の外表面に凹部を形成するように充てんされている。
【００２８】
充てん材３９の凹部形状は、光源であるＬＥＤライト４０の発光部４４の形状に倣った形状（嵌合可能な形状）に形成されていることが好ましい。また光取込部３２における充てん材３９は、光取込部３２から取り込んだ光を光ファイバー３４に集中させるように光取込部３２から光ファイバー３４の一方の端面３４Ａに向けて先細形状となるように形成してもよい。
【００２９】
また、光照射部３８から照射される光はミラー２０の反射面の範囲内に照射されるように、光照射部３８における光ファイバー３４の他方の端面３４Ｂの配設状態が調整されている。
【００３０】
本実施形態に係る口腔内観察器具１０の構成によれば、光取込部３２から取り込んだ光を効率的に伝達させると共に光照射部３８から口腔内に照射させることができる。また、光取込部３２と光照射部３８とが開口孔に形成されていないため、本体部３０の殺菌消毒処理をさらに容易に確実に行うことができる点において好都合である。
【００３１】
以上に実施形態に基づいて本考案にかかる口腔内観察器具１０について詳細に説明をしたが、本考案の技術的範囲は以上の実施形態に限定されるものではなく、考案の要旨を変更しない範囲で適宜の改変を加えることもできる。例えば以上の実施形態においては、先端部３６を除く本体部３０の外表面には、開口孔または透明材料からなる充てん材３９により被覆された光取込部３２および光照射部３８のみが形成されている形態について説明したが、本体部３０を保持する際における指の位置を規定するための保持ガイド用凹部（図示せず）を配設してもよい。このような保持ガイド部を配設することによりＬＥＤライト４０の発光部４４と光取込部３２との当接状態（嵌合状態）をより確実なものにすることができると共に、口腔内観察器具１０としての操作性(使い勝手)を向上させることもできる点において好都合である。
【００３２】
また、図６に示すように、本体部３０の光照射部３８に光ファイバー３４の他方の端面３４Ｂから照射される光がミラー２０の反射面部２２から離反する方向に照射されるように、光の照射方向を誘導するための照射方向誘導ミラー５０が配設された形態を採用することも可能である。
【００３３】
さらには、本体部３０の内部空間３１に、光取込部３２から取り込んだ光を光照射部３８に向けて反射させる第１の反射ミラー（図示せず）と、第１の反射ミラーから反射された光を光照射部３８から任意の方向に照射（反射）させるための第２の反射ミラー（図示せず）とをそれぞれ配設し、第１の反射ミラーと第２の反射ミラーとにより光伝達経路を構成させた形態を採用することもできる。
【００３４】
また、本体部３０の内部空間３１を光伝達経路とする場合には、光取込部３２から取り込んだ光が光照射部３８と反対側の内部空間３１を照射させないようにするために、光取込部３２を基準として光照射部３８から離反する側における内部空間３１の所定位置に隔壁(図示せず)を配設してもよい。また、この隔壁には光取込部３２から取り込まれた光を光照射部３８側に反射させるための反射面が形成されていればさらに好適である。
【００３５】
また、ＬＥＤライト４０の保持部４２は本体部３０を保持する手の人差し指Ｆに装着するリング部の形態について説明しているが、保持部４２は本体部３０を保持する手の親指や中指等の他の指に装着することもできる。さらには、保持部４２を省略したＬＥＤライト４０の形態を採用することもできる。
【符号の説明】
【００３６】
１０  口腔内観察器具，
２０  ミラー，２２  反射面部，
３０  本体部，３１  内部空間，３２，光取込部，
３４  光ファイバー，３４Ａ  一方の端面，３４Ｂ  他方の端面，
３６  先端部，３８  光照射部，３９  充てん材，
４０  ＬＥＤライト（光源），４２  保持部，４４  発光部，４６  押下スイッチ，
５０  照射方向誘導ミラー，
Ｆ  人差し指
【図１】
0003199771.tif 000003
【図２】
0003199771.tif 000004
【図３】
0003199771.tif 000005
【図４】
0003199771.tif 000006
【図５】
0003199771.tif 000007
【図６】
0003199771.tif 000008